(57)【特許請求の範囲】
【請求項１】
躯体を制振する制振部、及び前記制振部を覆う断熱板を備えた外壁構造体を施工する方法であって、
前記断熱板は、板状を成し、
前記断熱板の厚さ方向における前記断熱板の一方の面には、前記制振部の形状に対応する形状を有し、前記制振部を受容する凹部が形成されており、
前記外壁構造体の施工方法は、
前記制振部を前記躯体に連結する制振部設置工程と、
前記断熱板を、前記外壁構造体の厚さ方向の一方向から前記制振部に対して嵌めるように設置する断熱板設置工程と、
屋外側から前記躯体、前記制振部、及び前記断熱板を覆う前記外壁を設置する外壁設置工程と、を含み、
前記断熱板設置工程では、前記屋外側から前記制振部に対して前記断熱板を嵌めるように設置し、
前記外壁設置工程では、前記断熱板設置工程を実行した後に前記外壁を設置する外壁構造体の施工方法。
【請求項２】
前記躯体には、前記外壁が取り付けられる取付部が形成され、
前記断熱板設置工程では、前記取付部を屋内側に露出させるように前記取付部を避けて前記断熱板を設置し、
前記外壁設置工程では、前記取付部に前記外壁を取付けて設置し、
前記外壁設置工程を実行した後に、前記断熱板とは別体であり前記取付部を覆う取付部断熱材を、屋内側から施工して配置する取付部断熱材設置工程を更に含む請求項１に記載の外壁構造体の施工方法。
【請求項３】
前記断熱板の凹部には、前記凹部の内部において前記外壁に沿う方向に突出して前記制振部と接する位置決め凸部が形成され、
前記断熱板設置工程では、前記位置決め凸部を前記制振部に接触させて前記断熱板の位置決めを行いつつ、前記断熱板を設置する請求項１又は２に記載の外壁構造体の施工方法。
【請求項４】
躯体を制振する制振部、及び前記制振部を覆う断熱板を備えた外壁構造体を施工する方法であって、
前記断熱板は、板状を成し、
前記断熱板の厚さ方向における前記断熱板の一方の面には、前記制振部の形状に対応する形状を有し、前記制振部を受容する凹部が形成されており、
前記外壁構造体の施工方法は、
前記制振部を前記躯体に連結する制振部設置工程と、
前記断熱板を、前記外壁構造体の厚さ方向の一方向から前記制振部に対して嵌めるように設置する断熱板設置工程と、
屋外側から前記躯体、前記制振部、及び前記断熱板を覆う前記外壁を設置する外壁設置工程と、を含み、
前記断熱板の凹部には、前記凹部の内部において前記外壁に沿う方向に突出して前記制振部と接する位置決め凸部が形成され、
前記断熱板設置工程では、前記位置決め凸部を前記制振部に接触させて前記断熱板の位置決めを行いつつ、前記断熱板を設置する外壁構造体の施工方法。
【請求項５】
建物の外壁構造体であって、
躯体と、
前記躯体に連結され前記躯体を制振する制振部と、
板状を成し、厚さ方向の一方の面に前記制振部の形状に対応する形状を有し、前記制振部を受容する凹部が形成され、前記凹部に前記制振部が嵌められる断熱板と、
屋内側から前記断熱板及び前記制振部を覆う面状の気密部材と、
前記躯体に取り付けられ、屋外側から前記躯体、前記制振部、及び前記断熱板を覆う外壁と、を備え、
前記断熱板は、前記制振部に対して屋外側から嵌められている外壁構造体。
【発明の詳細な説明】
【技術分野】
【０００１】
本発明は、外壁構造体の施工方法、及び外壁構造体に関する。
【背景技術】
【０００２】
建物の外壁に利用される外壁構造体として特許文献１に記載の技術がある。この特許文献１に記載の壁用パネルでは、上下に延在する一対の縦桟と、この一対の縦桟間で横方向に延在し一対の縦桟を連結する複数の横桟とによって、枠体が形成されている。この枠体において、両側の縦桟と上下の横桟とによって囲まれた矩形状の空間内には、矩形の対角線上に配置されて交差する一対の筋違い材（制振部）が設けられている。そして、矩形状の空間内で筋違い材によって区切られた三角形の空間にそれぞれ断熱材が設けられている。
【先行技術文献】
【特許文献】
【０００３】
【特許文献１】特開平１０−１４７９９０号公報
【発明の概要】
【発明が解決しようとする課題】
【０００４】
しかしながら上記の特許文献１に記載の従来技術では、断熱材が複数の三角形に分割されて、筋違い材によって区切られた対応する三角形の空間にそれぞれ配置されるので、断熱材を施工する際の作業が煩雑となっていた。また、従来技術では複数に分割された断熱材を、対応する複数の空間にそれぞれ配置する必要があり、作業者によって作業時間にバラツキが生じたり、施工精度にバラツキが生じたりするおそれがあった。
【０００５】
また、従来技術では、断熱材と筋違い材との間、断熱材と枠体（縦桟又は横桟）との間には、外壁の厚さ方向に連続する隙間が形成されるので、これらの隙間を通じて空気が流れるおそれがあり、気密性を確保することが困難であった。これらの隙間を封止するために気密テープなどを施工すると、作業時間が増加し作業効率が低下する。また、従来技術では、外壁の厚さ方向において、筋違い材に対応する部分に断熱材が施工されておらず、断熱性を向上させる余地があった。
【０００６】
本発明は、断熱板を施工する際の作業効率の向上を図ること、作業者による施工時間及び施工精度のばらつきを抑制すること、気密性及び断熱性の向上を図ることが可能な外壁構造体の施工方法、及び外壁構造体を提供することを目的とする。
【課題を解決するための手段】
【０００７】
本発明は、躯体を制振する制振部、及び制振部を覆う断熱板を備えた外壁構造体を施工する方法であって、断熱板は、板状を成し、断熱板の厚さ方向における断熱板の一方の面には、制振部の形状に対応する形状を有し、制振部を受容する凹部が形成されており、外壁構造体の施工方法は、制振部を躯体に連結する制振部設置工程と、断熱板を、外壁構造体の厚さ方向の一方向から制振部に対して嵌めるように設置する断熱板設置工程と、屋外側から躯体、制振部、及び断熱板を覆う前記外壁を設置する外壁設置工程と、を含み、断熱板設置工程では、屋外側から制振部に対して断熱板を嵌めるように設置し、外壁設置工程では、断熱板設置工程を実行した後に前記外壁を設置する。
【０００８】
この外壁構造体の施工方法では、断熱板設置工程において、制振部を受容する凹部が形成された断熱板を、外壁構造体の厚さ方向の一方向から制振部に嵌めるように設置するので、断熱板は外壁構造体の厚さ方向の一方向から制振部を覆うように設置される。これにより、外壁に沿う方向において制振部を跨ぐように一体物の断熱板を配置することができ、断熱板を施工する際の作業量を軽減して作業効率の向上を図ることができる。また、制振部によって区切られた空間に対応するように分割された複数の断熱材をそれぞれ施工するのではなく、一体物の断熱板を施工するので、作業者による施工時間及び施工精度のばらつきを抑制することができる。また、制振部を覆うように断熱板が配置されるので、断熱板が施工される範囲を拡大することができ、断熱性の向上を図ることができる。また、制振部を覆うように一体物の断熱板を施工するので、制振部と断熱板との間で外壁構造体の厚さ方向に貫通する隙間が形成されず、気密性の向上を図ることができる。
【０００９】
また、断熱板設置工程では、屋外側から制振部に対して断熱板を嵌めるように設置し、外壁設置工程では、断熱板設置工程を実行した後に外壁を設置する。これにより、断熱板を屋外側から嵌めることができ、外壁構造体の厚さ方向において、制振部と外壁との間に断熱板を配置することができる。また、外壁構造体の厚さ方向において、制振部よりも屋内側に、配線など配置するための空間を容易に確保することができる。
【００１０】
また、躯体には、外壁が取り付けられる取付部が形成され、断熱板設置工程では、取付部を屋内側に露出させるように取付部を避けて断熱板を設置し、外壁設置工程では、取付部に外壁を取付けて設置し、外壁設置工程を実行した後に、断熱板とは別体であり取付部を覆う取付部断熱材を、屋内側から施工して配置する取付部断熱材設置工程を更に含む。これにより、制振部を覆う断熱板を配置した後に、取付部を屋内側に露出させておくことができ、断熱板を配置した後に、屋内側から外壁を取付けることができる。
【００１１】
また、断熱板の凹部には、凹部の内部において外壁に沿う方向に突出して制振部と接する位置決め凸部が形成され、断熱板設置工程では、位置決め凸部を制振部に接触させて断熱板の位置決めを行いつつ、断熱板を設置してもよい。これにより、断熱板を制振部に嵌める際に、凹部内に形成された位置決め凸部が制振部に接触し、断熱板が適正な位置に案内されて位置決めされる。
【００１２】
また、本発明は、建物の外壁構造体であって、躯体と、躯体に連結され躯体を制振する制振部と、板状を成し、厚さ方向の一方の面に制振部の形状に対応する形状を有し、制振部を受容する凹部が形成され、凹部に制振部が嵌められる断熱板と、屋内側から断熱板及び制振部を覆う面状の気密部材と、躯体に取り付けられ、屋外側から躯体、制振部、及び断熱板を覆う外壁と、を備え、断熱材は、制振部に対して屋外側から嵌められている。
【００１３】
この外壁構造体では、制振部を受容する凹部が形成された断熱板を、外壁構造体の厚さ方向の一方向から制振部に嵌めるように設置して、外壁構造体の厚さ方向の一方向から制振部を覆うように設置することができる。これにより、外壁に沿う方向において制振部を跨ぐように一体物の断熱板を配置することができ、断熱板を施工する際の作業量を軽減して作業効率の向上を図ることができる。また、制振部によって区切られた空間に対応するように分割された複数の断熱材をそれぞれ施工するのではなく、一体物の断熱板を施工するので、作業者による施工時間及び施工精度のばらつきを抑制することができる。また、制振部を覆うように断熱板が配置されるので、断熱板が施工される範囲を拡大することができ、断熱性の向上を図ることができる。また、制振部を覆うように一体物の断熱板を施工するので、制振部と断熱板との間で外壁構造体の厚さ方向に貫通する隙間が形成されず、気密性の向上を図ることができる。
【００１４】
断熱板は、制振部に対して屋外側から嵌められている。この構成の外壁構造体によれば、外壁構造体を施工する際に、断熱板を屋外側から嵌めることができ、外壁構造体の厚さ方向において、制振部と外壁との間に断熱板を配置することができる。また、外壁構造体の厚さ方向において、制振部よりも屋内側に、配線など配置するための空間を容易に確保することができる。
【発明の効果】
【００１５】
本発明によれば、断熱板を施工する際の作業効率の向上を図ること、作業者による施工時間及び施工精度のばらつきを抑制すること、気密性及び断熱性の向上を図ることが可能な外壁構造体の施工方法、及び外壁構造体を提供することができる。
【図面の簡単な説明】
【００１６】
【図１】本発明の一実施形態の外壁構造体を示す正面図である。
【図２】図１のＩＩ−ＩＩ線断面図である。
【図３】図１のＩＩＩ−ＩＩＩ線断面図である。
【図４】外壁構造体の躯体及び断熱板を示す分解斜視図である。
【図５】上部断熱材、下部断熱材、及び中央部断熱材を設置する前の状態の外壁構造体を示す分解斜視図である。
【図６】気密シートを設置する前の状態の外壁構造体を示す分解斜視図である。
【図７】斜材受容部に形成された位置決め凸部、及び斜材受容部に収容されて位置決め凸部に当接する斜材を示す概略図である。
【図８】外壁構造体の施工方法における手順を示すフローチャートである。
【発明を実施するための形態】
【００１７】
以下、本発明の好適な実施形態について、図面を参照しながら詳細に説明する。なお、各図において同一部分又は相当部分には同一の符号を付し、重複する説明は省略する。
【００１８】
まず、図１〜図７を参照して外壁構造体１について説明する。外壁構造体１は、鉄骨造の建物に使用される外壁用の構造体である。この外壁構造体１が使用された建物は、躯体２を有する多層建物であり、躯体２は、角形鋼管からなる柱３とＨ形鋼からなる梁４とを備えている。躯体２は、柱３及び梁４が接合されて構成されている。本実施形態では地上階に設けられた外壁構造体１について説明するが、この外壁構造体１は、２階以上の各階にも設置されている。
【００１９】
柱３は、上下方向（Ｚ方向）に延在し、水平方向（Ｘ方向）に離間して複数設けられ、梁４は、水平方向に延在して柱３の上端部に接続されている。柱３の上端部には、梁４との接合部となる柱頭部３ａが設けられ、柱３の下端部には、基礎５との接合部となる柱脚部３ｂが設けられている。柱頭部３ａは梁４に対してボルト接合され、柱脚部３ｂは、基礎５から上方に突出するアンカーボルト６を介して基礎５に固定されている。
【００２０】
外壁構造体１は躯体２を制振する制振部１０を備え、この制振部１０は、水平方向に離間する一対の柱３間に配置されている。また、制振部１０は、上下方向に離間して複数（例えば２個）設けられている。制振部１０は、一対の柱３にそれぞれ固定されて上下方向に延在する一対の縦材１１と、この縦材１１を底辺とする二等辺三角形の斜辺に沿うようにそれぞれ配置された複数の斜材１２と、一対の縦材１１にそれぞれ接合されて一対の二等辺三角形の頂角（斜辺同士が交差する角）に向かって水平方向にそれぞれ延在する一対の横材１３と、各二等辺三角形の頂角に対応する位置で一対の斜材１２及び横材１３をそれぞれ連結し水平方向に離間して配置された一対の連結片１４と、この一対の連結片１４に接合された鋼材ダンパ１５と、を備えている。これらの縦材１１、斜材１２、横材１３、及び連結片１４は、強度部材によって構成されている。鋼材ダンパ１５は、例えば連結片１４よりも降伏点が低い極低降伏点鋼によって構成されている。
【００２１】
縦材１１は、一対の柱３の対向する側面に例えば溶接等により接合されている。斜材１２は棒状を成し、斜材１２の一端側は縦材１１に接合され、斜材１２の他端側は連結片１４に接合されている。横材１３は棒状を成し、横材１３の一端側は縦材１１に接合され、横材１３の他端側は連結片１４に接合されている。これらの斜材１２及び横材１３は、例えば溶接等によって、縦材１１及び連結片１４にそれぞれ接合されている。
【００２２】
連結片１４は、例えば板状を成し、Ｙ方向から見て扇形に形成されている。連結片１４は、Ｘ方向において、中央側から外側に向かうにつれて上下方向に広がるように配置されている。Ｘ方向に対向する一対の連結片１４は、所定の隙間を空けて配置されている。鋼材ダンパ１５は、Ｘ方向に延在し、Ｘ方向における両端部はそれぞれ一対の連結片１４に接合されている。鋼材ダンパ１５は、例えばボルト接合によって連結片１４に接合されている。
【００２３】
外壁構造体１は、図３及び図５に示されるように、例えば軽量気泡コンクリート（ＡＬＣ）パネルからなる外壁７と、この外壁７を梁４に取り付けるための外壁取付金物（取付部）８と、外壁７を下方から支持する外壁受け金物９と、を備える。外壁受け金物９は、例えば基礎５上に固定され、外壁７の下端部を下方から支持する。外壁取付金物８は、梁４の下側のフランジに対してボルト接合されている。外壁７の上部側は、外壁取付金物８を介して梁４に固定されている。外壁取付金物８は、外壁７の屋内側の面７ａに当接している。外壁７はボルト接合によって外壁取付金物８に取り付けられている。外壁７を外壁取付金物８に固定する場合には、作業者は、屋内側から作業して、外壁７を外壁取付金物８に固定する。
【００２４】
ここで、外壁構造体１は、制振部１０を受容する制振部受容部（凹部）２１が形成された断熱板２０を備えている。断熱板２０は、板状を成し、例えばプラスチック系断熱材を使用することができる。プラスチック系断熱材としては、例えば、ビーズ法ポリスチレンフォーム（ＥＰＳ）、押出法ポリスチレンフォーム（ＸＰＳ）、フェノールフォーム（ＰＦ）等を使用することができる。
【００２５】
断熱板２０は、矩形状を成し、断熱板２０の幅（Ｘ方向の長さ）は、一対の柱３間の距離に対応し、断熱板２０の上下方向の長さ（Ｚ方向の長さ）は、縦材１１の長さに対応している。断熱板２０の幅は、一対の柱３間に断熱板２０に挿入可能な長さとなっている。
【００２６】
制振部受容部２１は、図４に示されるように、断熱板２０の厚さ方向（Ｙ方向）の一方の面２０ａに形成され、制振部１０の形状に対応する凹部である。制振部受容部２１は、耐震要素受容部２２、横材受容部２３、及び斜材受容部２４を備えている。耐震要素受容部２２は、断熱板２０の中央部に形成された凹部であり、一対の連結片１４及び鋼材ダンパ１５を収容する部分である。耐震要素受容部２２は、一対の連結片１４及び鋼材ダンパ１５の外形及び深さに対応して形成されている。
【００２７】
横材受容部２３は、耐震要素受容部２２からＸ方向の両側に延びている。横材受容部２３は、Ｘ方向の両側の横材１３をそれぞれ収容する溝部であり、横材１３の外形及び深さに対応して形成されている。横材受容部２３は、横材１３に沿って直線的に形成されている。横材受容部２３は、耐震要素受容部２２から断熱板２０の側部２０ｂまで貫通するように形成されている。
【００２８】
斜材受容部２４は、耐震要素受容部２２から断熱板２０の角部２０ｃに向かい対角線に沿ってそれぞれ延びている。斜材受容部２４は、複数の斜材１２をそれぞれ収容する溝部であり、斜材１２の外形及び深さに対応して形成されている。斜材受容部２４は、斜材１２に沿って直線的に形成されている。斜材受容部２４は、耐震要素受容部２２から断熱板２０の角部２０ｃまで貫通するように形成されている。
【００２９】
断熱板２０は、外壁構造体１の厚さ方向（Ｙ方向）において、図２及び図３に示されるように、屋外側から制振部１０を覆うように配置されている。断熱板２０の他方の面（屋外側の面）２０ｄは、外壁７の屋内側の面７ａに当接している。
【００３０】
また、図７に示されるように、斜材受容部２４には、溝部の側面２４ａから対向する側面２４ａに向かって外壁７に沿う方向（外壁７の厚さ方向Ｙに直交する方向）に突出する位置決め凸部２５が設けられている。位置決め凸部２５は、斜材１２の長手方向に一定の間隔（例えば１０ｃｍ）を空けて複数配置されている。また、位置決め凸部２５は、斜材１２を挟んで対向して設けられ、断熱板２０を制振部１０に対して装着した状態において、斜材１２は、複数の位置決め凸部２５にそれぞれ当接している。位置決め凸部２５は、断熱板２０の厚さ方向（Ｙ方向）から見て半円形状を成すように形成されている。半円形状の直径は、例えば５ｍｍ〜１０ｍｍである。
【００３１】
同様に、横材受容部２３においても、複数の位置決め凸部（不図示）が設けられている。複数の位置決め凸部は、横材受容部２３において、溝部の側面から対向する側面に向かって外壁７に沿う方向（上下方向）に突出している。位置決め凸部は、横材１３の長手方向に一定の間隔（例えば１０ｃｍ）を空けて複数配置されている。また、位置決め凸部は、横材１３を挟んで対向して設けられ、断熱板２０を制振部１０に対して装着した状態において、横材１３は、複数の位置決め凸部にそれぞれ当接している。
【００３２】
そして、断熱板２０の製造方法としては、射出成形を用いて方法がある。また、削り出しによって、制振部受容部２１を形成して、断熱板２０を製造することができる。また、板状の複数の部材を貼り合せることで、制振部受容部２１を形成して、断熱板２０を製造することができる。
【００３３】
また、外壁構造体１は、上部断熱材３１、下部断熱材３２、及び中央部断熱材３３を備えている。上部断熱材３１は、上部側に配置された断熱板２０と梁４との間の空間に配置された断熱部である。具体的には、一対の柱３の柱頭部３ａ、上部側の断熱板２０、梁４、及び外壁７によって囲まれた空間を埋めるように、上部断熱材３１が配置される。
【００３４】
上部断熱材３１は、外壁取付金物８を屋内側から覆うように配置されている。上部断熱材３１が施工された状態において、上部断熱材３１の底面は、上部側の断熱板２０の天面に当接し、上部断熱材３１の側面は一対の柱３の柱頭部３ａに当接し、上部断熱材３１の天面は、梁４の底面（下側のフランジ）または梁４を覆う断熱板に当接している。また、上部断熱材３１の屋外側の面は、外壁７の屋内側の面７ａ及び外壁取付金物８に当接している。
【００３５】
下部断熱材３２は、下部側に配置された断熱板２０と基礎５との間の空間に配置された断熱部である。具体的には、一対の柱３の柱脚部３ｂ、下部側の断熱板２０、基礎５、及び外壁７によって囲まれた空間を埋めるように、下部断熱材３２が配置される。
【００３６】
下部断熱材３２は、外壁受け金物９を屋内側から覆うように配置されている。下部断熱材３２が施工された状態において、下部断熱材３２の底面は、基礎５の天面に当接し、下部断熱材３２の側面は一対の柱３の柱脚部３ｂに当接し、下部断熱材３２の天面は、下部側の断熱板２０の底面に当接している。また、下部断熱材３２の屋外側の面は、外壁７の屋内側の面７ａ及び外壁受け金物９に当接している。
【００３７】
中央部断熱材３３は、上部側の断熱板２０と下部側の断熱板２０との間の空間に配置された断熱部である。具体的には、一対の柱３、上部側の断熱板２０、下部側の断熱板２０、及び外壁７によって囲まれた空間を埋めるように、中央部断熱材３３が配置される。中央部断熱材３３が施工された状態において、中央部断熱材３３の底面は、下部側の断熱板２０の天面に当接し、中央部断熱材３３の側面は一対の柱に当接し、中央部断熱材３３の天面は、上部側の断熱板２０の底面に当接している。また、中央部断熱材３３の屋外側の面は、外壁７の屋内側の面７ａに当接している。
【００３８】
そして、断熱板２０、上部断熱材３１、下部断熱材３２、及び中央部断熱材３３が施工された状態において、これらの断熱板２０、上部断熱材３１、下部断熱材３２、及び中央部断熱材３３の屋内側の面は、厚さ方向において略同じ位置に配置されている。また、制振部１０は、制振部受容部２１内に収容されて、断熱板２０の一方の面２０ａから張り出さないように配置されている。
【００３９】
また、外壁構造体１は、図６に示されるように、屋内側から制振部１０、断熱板２０、上部断熱材３１、下部断熱材３２、及び中央部断熱材３３を覆う気密シート３４を備えている。気密シート３４は、空気の通過を防止することが可能な面状の気密部材である。気密シート３４は、シート状を成し、矩形の外形を有する。気密シート３４の幅（Ｘ方向の長さ）は、一対の柱３間の距離に対応し、気密シート３４の長さ（Ｚ方向の長さ）は、柱３の長さ（基礎５と梁４との距離）に対応している。気密シート３４の屋外側の面は、断熱板２０、上部断熱材３１、下部断熱材３２、及び中央部断熱材３３の屋内側の面に当接する。なお、面状の気密部材は、シート状に限定されず、板状のものでもよい。面状の気密部材は、例えば板状の断熱材でもよく、断熱材に気密シートが貼り合わされた複層部材でもよい。
【００４０】
また、気密シート３４が施工された状態において、気密シート３４の周縁部は、周囲の基礎５、一対の柱３、及び梁４に当接し、気密シート３４と、これらの基礎５、一対の柱３、及び梁４（又は梁４を覆う断熱板）との間の隙間は気密テープ（不図示）によって封止されている。
【００４１】
次に、図８を参照して、外壁構造体１の施工方法について説明する。
【００４２】
まず、柱３及び梁４を接合して躯体２を設置した後に、制振部設置工程Ｓ１を実行する。この制振部設置工程Ｓ１では、縦材１１を一対の柱３の対向する側面に接合することで、制振部１０を躯体２に固定する。
【００４３】
次に、断熱板設置工程Ｓ２を実行する。この断熱板設置工程Ｓ２では、断熱板２０を準備して、屋外側から制振部１０を覆うようにして、屋外側から断熱板２０を押し込む。断熱板２０を押し込んで、断熱板２０の制振部受容部２１に制振部１０を嵌めることで、断熱板２０を制振部１０に対して設置する。断熱板設置工程Ｓ２では、外壁取付金物８及び外壁受け金物９を露出させるように、これらの外壁取付金物８及び外壁受け金物９を避けて断熱板を設置する。
【００４４】
このとき、一対の連結片１４及び鋼材ダンパ１５は、耐震要素受容部２２に収容され、一対の横材１３は横材受容部２３に収容され、複数の斜材１２は斜材受容部２４に収容される。そして、断熱板２０を制振部１０に嵌める際に、斜材受容部２４内に形成された位置決め凸部２５が斜材１２に接触し、横材受容部２３内に形成された位置決め凸部が横材に接触し、断熱板２０が適正な位置に案内されて位置決めされる。
【００４５】
この断熱板設置工程Ｓ２が実行された状態において、上部断熱材３１、下部断熱材３２、及び中央部断熱材３３は、未だ施工されておらず、外壁取付金物８及び外壁受け金物９は、屋内側に露出した状態となっている。
【００４６】
次に、外壁設置工程Ｓ３を実行する。この外壁設置工程Ｓ３では、外壁７を準備して、屋外側から断熱板２０を覆うようにして、断熱板２０を外壁受け金物９上に載せて、断熱板２０を配置し、屋内側からボルト締めして外壁７を外壁取付金物８に対して固定する。これにより、外壁７を躯体２に対して設置する。
【００４７】
次に、取付部断熱材設置工程Ｓ４を実行する。この取付部断熱材設置工程Ｓ４では、上部断熱材３１、下部断熱材３２、及び中央部断熱材３３を準備して、上部断熱材３１を上部側の断熱板２０と梁４との間の隙間に押し込み、下部断熱材３２を下部側の断熱板２０と基礎５との間の隙間に押し込み、中央部断熱材３３を上部側の断熱板２０と下部側の断熱板２０との間の隙間に押し込んで設置する。
【００４８】
次に、気密シート設置工程Ｓ５を実行する。この気密シート設置工程Ｓ５では、気密シート３４を準備して、屋内側から制振部１０、断熱板２０、上部断熱材３１、下部断熱材３２、及び中央部断熱材３３を覆うようにして、気密シート３４を一対の柱３、基礎５、及び梁４によって囲まれた空間に押し込んで設置する。そして、気密シート３４と、周囲の基礎５、一対の柱３、及び梁４との間の隙間を封止するように、気密テープを貼る。
【００４９】
以上のように本実施形態の外壁構造体の施工方法によれば、断熱板設置工程Ｓ２において、断熱板２０を、外壁構造体１の厚さ方向の一方向から制振部１０に嵌めるように設置するので、断熱板２０は外壁構造体１の厚さ方向から制振部１０を覆うように設置される。これにより、外壁７に沿う方向において制振部１０を跨ぐように一体物の断熱板２０を配置することができ、断熱板２０を施工する際の作業量を軽減して作業効率の向上を図ることができる。また、制振部１０によって区切られた空間に対応するように分割された複数の断熱板２０をそれぞれ施工するのではなく、一体物の断熱板２０を施工するので、作業者による施工時間及び施工精度のばらつきを抑制することができる。また、制振部１０を覆うように断熱板２０が配置されるので、断熱板２０が施工される範囲を拡大することができ、断熱性の向上を図ることができる。また、制振部１０を覆うように一体物の断熱板２０を施工するので、制振部１０と断熱板２０との間で外壁構造体１の厚さ方向に貫通する隙間が形成されず、気密性の向上を図ることができる。
【００５０】
また、断熱板設置工程Ｓ２では、屋外側から制振部１０に対して断熱板２０を嵌めるように設置し、外壁設置工程Ｓ３では、断熱板設置工程Ｓ２を実行した後に外壁７を設置する。これにより、断熱板２０を屋外側から嵌めることができ、外壁構造体１の厚さ方向において、制振部１０と外壁７との間に断熱板２０を配置することができる。また、外壁構造体１の厚さ方向において、制振部１０よりも屋内側に、配線など配置するための空間を容易に確保することができる。
【００５１】
また、断熱板設置工程Ｓ２では、外壁取付金物８を屋内側に露出させるように断熱板２０を設置し、外壁設置工程Ｓ３では、外壁取付金物８に外壁７を取付けて設置し、外壁設置工程Ｓ３を実行した後に、外壁取付金物８を覆う上部断熱材３１を、屋内側から施工して配置する取付部断熱材設置工程を実行する。これにより、断熱板２０を配置した後に、外壁取付金物８を屋内側に露出させておくことができ、断熱板２０を配置した後に、屋内側から外壁７を固定することができる。
【００５２】
本発明は、前述した実施形態に限定されず、本発明の要旨を逸脱しない範囲で下記のような種々の変形が可能である。
【００５３】
上記実施形態では、断熱板２０を制振部１０に対して屋外側から覆うように配置しているが、断熱板２０を制振部１０に対して屋内側から覆うように配置してもよい。また、屋外側及び屋内側の両方から制振部１０を覆うように、断熱板を配置してもよい。
【００５４】
また、上記実施形態では、１枚の断熱板２０によって、１つの制振部１０を覆うように、断熱板２０を配置しているが、１枚の断熱板によって複数の制振部１０を覆ってもよい。
【００５５】
また、制振部１０の構成は、上記の実施形態に記載されたものに限定されず、その他の構成のものでもよい。制振部は、例えば、一対の斜材を有する筋違いでもよく、その他のダンパなどを備え、躯体２の振動を抑制可能なものでもよい。制振部は、躯体２の強度を補強する補強部材でもよい。
【００５６】
また、上記実施形態では、断熱板２０とは別体である上部断熱材３１、下部断熱材３２、及び中央部断熱材３３を備える構成としているが、これらの上部断熱材３１、下部断熱材３２、及び中央部断熱材３３を備えていない構成でもよい。断熱板は、外壁取付金物８を覆うように形成されたものでもよい。
【００５７】
また、上記実施形態では、横材受容部２３及び斜材受容部２４に、位置決め凸部が形成された構成について説明しているが、位置決め凸部は、耐震要素受容部２２に形成されていてもよい。また、断熱板２０において、制振部受容部２１に位置決め凸部が形成されていないものでもよい。
【００５８】
また、上記実施形態では、断熱板設置工程Ｓ２を実行した後に、外壁設置工程Ｓ３を実行しているが、外壁設置工程Ｓ３を実行した後に、断熱板設置工程Ｓ２を実行してもよい。
【００５９】
また、上記実施形態では、気密シートを設置しているが、気密シートに代えて、断熱シートを設置してもよい。
【符号の説明】
【００６０】
１…外壁構造体、２…躯体、３…柱、４…梁、５…基礎、６…アンカーボルト、７…外壁、７ａ…外壁の屋内側の面、８…外壁取付金物（取付部）、９…外壁受け金物、１０…制振部、１１…縦材、１２…斜材、１３…横材、１４…連結片、１５…鋼材ダンパ、２０…断熱板、２０ａ…一方の面、２０ｂ…側部、２０ｃ…角部、２０ｄ…他方の面、２１…制振部受容部、２２…耐震要素受容部、２３…横材受容部、２４…斜材受容部、２５…位置決め凸部、３１…上部断熱材、３２…下部断熱材、３３…中央部断熱材、３４…気密シート（面状の気密部材）。
【図１】
0006486164.tif 000002
【図２】
0006486164.tif 000003
【図３】
0006486164.tif 000004
【図４】
0006486164.tif 000005
【図５】
0006486164.tif 000006
【図６】
0006486164.tif 000007
【図７】
0006486164.tif 000008
【図８】
0006486164.tif 000009